(57)【特許請求の範囲】
【請求項１】
基台の棚板に沿ってスライド板を進退可能に設置し、このスライド板に支持手段を介してシューターを揺動可能に設置し、このシューターが前記棚板に載置された状態で水平方向に進退可能とするとともに前記棚板の端縁部から突出するにしたがって前記支持手段を介して前下がりの状態に揺動することにより、前記シューターに載置されたストレーナを滑らせながら下方に落下させ鋳造装置の湯口に設置することを特徴とする鋳造用ストレーナ装着装置。
【発明の詳細な説明】
【０００１】
【発明の属する技術分野】
この発明は鋳造用ストレーナ装着装置に関する。
【０００２】
【従来の技術】
従来の鋳造作業においてストレーナを自動的に装着する方法として、粘着テープによってストレーナを接着し、ストレーナマガジンから取り出し、湯口部まで搬送し、装着する方法が存在する。
【０００３】
【発明が解決しようとする課題】
しかしながら、かかる従来における装着方法にあっては、粘着テープの粘着面に埃等が付着してその粘着力が漸次弱くなり、よって、鋳造装置の湯口部にストレーナを適正に装着するためには管理に手間がかり、その結果、鋳造作業の作業能率を向上させにくいという不都合を有した。
【０００４】
この発明の課題は前記不都合を解消することである。
【０００５】
【課題を解決するための手段】
この課題を達成するために、この発明に係る鋳造用ストレーナ装着装置においては、基台の棚板に沿ってスライド板を進退可能に設置し、このスライド板に支持手段を介してシューターを揺動可能に設置し、このシューターが前記棚板に載置された状態で水平方向に進退可能とするとともに前記棚板の端縁部から突出するにしたがって前記支持手段を介して前下がりの状態に揺動することにより、前記シューターに載置されたストレーナを滑らせながら下方に落下させ鋳造装置の湯口に設置するようにしたため、前記シューターが後退したときにこのシューターにストレーナが載置され、そのままシューターを前記棚板の端縁部から突出する方向に移動させればストレーナは滑りながら下方に落下し、鋳造装置の湯口部に設置されるものである。
【０００６】
【発明の実施の形態】
図１はこの発明に係る鋳造用ストレーナ装着装置の正面断面図、図２は同平面図、図３は図１におけるIII-III 線断面図、図４は図１におけるIV矢視拡大図、図５は係止部材がストレーナを誘導する状態を説明した断面図、図６〜図８はストレーナセット装置を示したものであり、図６は正面図、図７は平面図、図８は右側面図、図９はストレーナストッパの他の実施例の斜視図である。
【０００７】
図１〜図３に基づいて鋳造用ストレーナ装着装置を採用し、以下説明する。
【０００８】
図において、10は鋳造用ストレーナ装着装置Ｍの基板、11はその基板10に固定された脚板である。12は棚板（この発明の「基台」に相当する。）であり、基板10の下方に配置された状態で前記脚板11に設置されている。
【０００９】
13は真円孔であり、前記基板10に形成されている。この真円孔13の機能は後記する。14,14 はスライド支持部材であり（図３を参照のこと）、前記基板10と前記棚板12との間における両端縁に配置され、前記脚板11に固定されている。
【００１０】
次に、15はストレーナ収容筒であり、その下端縁を前記基板10の真円孔13に嵌挿し、そのフランジ部151 を真円孔13の周端縁に掛け止めした状態で固定されている。152,152,…は突起であり、前記ストレーナ収容筒15の下端縁に設けられている。この突起152 はストレーナストッパとして後記する。また、153,153,…は上端が開放した長孔であり、前記ストレーナ収容筒15の側壁に軸方向に沿って形成されている。この長孔153 は後記するストレーナ装着装置Ａを使用する際に機能を発揮する。なお、154 はストレーナ収容筒15の蓋体である。また、155 はストレーナ押圧具であり、操作棒156 を進退させることによってストレーナ収容筒15のストレーナＳを下方向に押圧したり、その押圧を解除したりする。
【００１１】
20はスライド板であり、前記スライド支持部材14,14 に載置されている。このスライド板20は基板10の下面に略接触しながら、脚板11に設置されたピストン・シリンダ機構Ｐの動作によって進退することができる。なお、前記スライド板20を移動させる代わりに、ストレーナ収容筒15を移動させることもできる。
【００１２】
次に、21はストレーナ通過孔であり、前記スライド板20に形成されている。このストレーナ通過孔21は前記スライド板20の進退方向に対して略垂直方向に長径を有する長孔である。22は楔状の係止部材であり、前記ストレーナ通過孔21の後端縁（最下端のストレーナとその上のストレーナの間に向けて) の方向に対してに設置されている。この係止部材22は前記ストレーナ収容筒15の下方を通過する際にストレーナ収容筒15内に収容されたストレーナＳを一枚づつその端縁部を分離しながら前記ストレーナ通過孔21に誘導する（図５を参照のこと）。また、23,23 は係止補助部材であり、前記ストレーナ通過孔21の後端縁における前記係止部材22の両側方向に設置されている。さらに、24,24,…はストレーナ誘導部材であり、前記ストレーナ通過孔21の前端縁における前記係止部材22、及び前記係止補助部材23,23 の対向する位置に設置されている。これらのストレーナ誘導部材24,24,…は、ストレーナＳの通過による前記ストレーナ通過孔21における前端縁の磨耗を防止している。  また、前記係止部材22及び前記係止補助部材23は、図５に示すように、その先端縁は、前記ストレーナＳを分離することができるように前記スライド板20よりも僅か（約１ｍｍ）に突出している。
【００１３】
なお、前記係止部材22及び前記係止補助部材23は図２に示すように、その先端はＶ字状に尖らせた形状（平面視）に形成されているため、網体であるストレーナＳを滑らかに分離することができるし、また、図５に示すように、その先端の横断面がＶ字状に尖らせた形状に形成されているため、ストレーナＳを分離するときに、重なっている複数のストレーナＳからの最下端のストレーナＳを分離しやすいものである。さらに、前記ストレーナ誘導部材24は前記スライド板20の表面と面一の状態で設置されているため、前記スライド板20が進退する際に前記基板10に衝突することはない。
【００１４】
25,25,…はスライド溝であり、前記スライド板20の表面にその進退方向に沿って形成されている。このスライド溝25,25,…には前記ストレーナ収容筒15の突起152 がその先端をスライド溝25の底部に非接触の状態で嵌挿している。このため、前記スライド板20は前記突起152 にガイドされながら滑らかにスライドすることができる。なお、26,26 はエアーブローのノズルであり、前記スライド板20の後端縁に設置されている。このノズル26は、スライド板20が最も後退したとき（湯口部Ｂひいては鋳型Ａに最接近したとき）リミットスイッチ（図示せず）が作動しバルブが開放して圧縮空気を鋳型Ａに吹き付け鋳型に付着した埃等を吹き飛ばすことができ、また、スライド板20が最も前進したとき（ピストン・シリンダ機構Ｐ側に）別のリミットスイッチ（図示せず）が作動しバルブが開放して圧縮空気を前記スライド支持部材14に吹き付け付着した埃等を吹き飛ばすことができる。
【００１５】
更に、30は冷却風ノズルであり、前記スライド板20の前端部に設置されている。この冷却風ノズル30はリミットスイッチ（図示せず）によってこのスライド板20が最も前進した（ピストン・シリンダ機構Ｐ側に）際に作動するように設定されているため、前記スライド板20が前進してスライド支持部材14，14上に待機しているときに、前記スライド板20，前記スライド支持部材14,14 ，前記棚板12とを冷却させることができる。
【００１６】
次に、27はシューターであり、前記スライド板20の下面に凸条部28,28 を介して軸271 により揺動可能に設置されている。この凸条部28,28,…および軸271 がこの発明の「支持手段」に相当する。このシューター27は前記ストレーナ通過孔21の下方に位置しており、前記スライド板20と共に進退する。そして、前進して前記棚板12に載置された状態のときは水平状態に位置し、後退して前記棚板12から外れたときには図１の実線で示されるように湯口部Ｂに向かって傾斜状態に位置する。このとき、前記棚板12の端縁部121 の断面が円弧状に形成されているため、前記スライド板20は前記棚板12の端縁部121 から突出するにしたがって滑らかに揺動することができ、この結果、ストレーナＳを所定位置に滑らかに落下させることができる。このように、前記シューター27は水平状態でストレーナＳを受け取り（図５を参照のこと）、傾斜状態で湯口部ＢにストレーナＳを装着することができる（図１を参照のこと）。なお、図４に示すようにシューター27の前端縁は、略Ｖ字状に切り欠かれているため、円板状のストレーナＳが前記シューター27から滑り落ちる際にその後端部が少なくとも二点によって支えられるため、横揺れすることなく定位置に滑らかに落下させることができるものである（仮想線の図を参照のこと）。
【００１７】
更に、図１において、29は飛び出し防止部材であり、前記スライド板20の左端部（図１において）に下方向に向かって突設されている。この飛び出し防止部材29はシューター27がストレーナＳを受け取りながら前進する際およびストレーナＳを載置して水平移動する際に、当該ストレーナＳがシューター27から滑り落ちるのを防止するものである。
【００１８】
次に、図６〜図８に基づいてストレーナセット装置Ａを説明する。
【００１９】
図において、50はストレーナセット装置Ａの基板である。51,51,…はベルクランク状の把持アームであり、その角部を前記基板50の下面にピン52によって揺動可能に設置されている。この把持アーム51の長片部511 はストレーナＳを掴む部分であり、その内径はストレーナＳの外径よりも０．２ｍｍ以下に設定してある。また、把持アーム51の短片部512 の機能は後記する。なお、70は係止具であり、前記基板50の下面における端縁部に設置されている。この係止具70は当該ストレーナセット装置ＡによってストレーナＳを前記鋳造用ストレーナ装着装置Ｍのストレーナ収容筒15にセットするとき、このストレーナ収容筒15の上端縁に掛け止めされるものである。
【００２０】
53は有底支持筒であり、前記基板50の中心部に貫通した状態で固着されている。この有底支持筒53の底部には貫通孔54が形成され、この貫通孔54には進退杆55が進退可能に嵌挿している。56はばね座であり、前記有底支持筒53内の底部に載置され、前記進退杆55の上端に固着している。このばね座56は前記有底支持筒53内に嵌挿された圧縮ばね57を支えている。一方、58は押さえ板であり、前記進退杆55の下端に固着されている。この押さえ板58は掴んだストレーナＳを上から押さえるためのものである。
【００２１】
60は補助板であり、連結部材61,61,…を介して前記基板50の上方に固定されている。この補助板60は前記有底支持筒53の上端開口を覆っているため、圧縮ばね57の弾撥力によって前記押さえ板58を下方向に付勢することができる。
【００２２】
次に、80,80,…は操作杆であり、前記基板50および前記補助板60を進退可能に貫通している。そして、その下端部は前記把持アーム51の短片部512 にピン81,81,…によって揺動可能に連結されている。このため、操作杆80を進退させることによって前記把持アーム51を揺動させることができる結果、その長片部511 を開いたり、閉じたりすることができる。90は操作板であり、前記操作杆80,80,…の上端縁に固定されている。この操作板90と前記補助板60との間には、前記操作杆80に外嵌めされた状態で圧縮ばね91,91,…が設置されている。このため、圧縮ばね91,91,…に抗して、操作杆80,80,…を押し込むことによって前記把持アーム51を開くことができる。そして、この押し込みを解除すれば、前記圧縮ばね91,91,…の弾性によって前記把持アーム51を閉じることができる。
【００２３】
次に、前記鋳造用ストレーナ装着装置Ｍの作動について説明する。
【００２４】
第一に、前記ストレーナセット装置Ａを用いて前記鋳造用ストレーナ装着装置Ｍのストレーナ収容筒15にストレーナＳをセットする方法を説明する。
【００２５】
まず、所要数のストレーナＳを積み重ねる。これを、ストレーナセット装置Ａの把持アーム51によって掴む。このとき、前記押さえ板58はストレーナＳの上面を柔らかに押さえている。
【００２６】
この状態で、前記鋳造用ストレーナセット装置Ｍのストレーナ収容筒15内にストレーナＳを収容し、当該ストレーナセット装置Ａの前記係止具70をこのストレーナ収容筒15の上端縁に掛け止めする。そして、前記把持アーム51が前記ストレーナ収容筒15の長孔153 に一致した位置で、前記操作板90，ひいては前記操作杆80,80,…を圧縮ばね91,91,…に抗して押し込めば、前記把持アーム51を開きながら、前記ストレーナ収容筒15の長孔153 から外方向にでることができるため、ストレーナＳの掴んだ状態を解除して、ストレーナＳを前記ストレーナ収容筒15に収容することができる。ストレーナＳ収容後に蓋体154 を閉める。
【００２７】
その後、前記ピストン・シリンダ機構Ｐを作動させて、前記スライド板20を前進させる（図１における右方向）（図１参照のこと）。すると、前記ストレーナ収容筒15の下方に差しかかった時、図５に示すように、ストレーナＳの反係止部材側が前記突起152 によってその前進を停止されるため、スライド板20の係止部材22がストレーナＳの最下端のものの端縁部を分離しはじめ、更に、前進しながら前記ストレーナ通過孔21に誘導する。このストレーナ通過孔21を通過したストレーナＳは落下して下方のシューター（水平状態）27に収容される。この状態で前記ピストン・シリンダ機構Ｐは一旦停止した後再作動して前記スライド板20を後退させる。すると、シューター27が前記棚板12から外れ、傾斜状態になって湯口部ＢにストレーナＳを装着することができる。なお、スライド板20が後退するとき、残った次のストレーナＳは係止部材側の突起152 に係止するため、スライド板20に追従して移動することはない。
【００２８】
また、この実施例において、前記シューター27の後端部を前記スライド板20に揺動可能に設置するとともにこのスライド板20とともに棚板12上を進退させ、且つ、前記棚板12の端縁部の断面を円弧状にすれば、スライド板20は前記棚板12の端縁部から突出するにしたがって滑らかに揺動するため、ストレーナＳを所定位置に滑らかに落下させることができる。
【００２９】
また、この実施例において、前記スライド板20の下面にストレーナＳの滑り出しを防止する飛び出し防止部材29を突設したため、前記シューター27が前記スライド板20と一緒に水平移動する際に、このシューター27に載置されたストレーナＳが滑り落ちるのを防止できる。
【００３０】
また、この実施例において、前記シューター27の前端縁を略Ｖ字状に切り欠いたため、ストレーナＳが円板状であっても、シューター27から滑り落ちる際にその後端部が少なくとも二点によって支えられる結果、横揺れすることなく定位置（湯口部）に滑らかに落下させることができる。
【００３１】
また、この実施例において、前記スライド板20に冷却手段（冷却風ノズル）30を設け、スライド板が前進した際に作動するようにしたため、スライド板20が前進して棚板12上に待機している最中に、当該スライド板20を冷却することができる。
【００３２】
また、この実施例において、前記スライド板20の後端にエアーノズル26を設けたため、スライド板20が後退したとき、ストレーナＳの供給対象に付着した埃を吹き飛ばすことができ、一方、前進したときには、棚板12等に付着した埃を吹き飛ばすことができる。
【００３３】
また、この実施例では、前記ストレーナ収容筒15の先端と前記スライド板20とを非接触にしたため、前記スライド板20は前記ストレーナ収容筒15に対して常時一定の位置を維持することができる結果、前記ストレーナ収容筒15に収容されたストレーナＳと係止部材22との位置関係が常時一定となり、よって、安定した状態でストレーナＳを分離しやすいものである。
【００３４】
また、この実施例では、前記スライド板20にスライド溝25を設けるとともに前記ストレーナ収容筒15に突起152,152,…を設け、この突起152 を前記スライド溝25に嵌挿させたため、前記ストレーナ収容筒15のスライド板20に対する進退方向と垂直方向の位置が規制される結果、前記ストレーナ収容筒15に収容されたストレーナＳと係止部材22との位置関係が常時一定となり、よって、安定した状態でストレーナＳを分離しやすいものである。
【００３５】
なお、図９に示すように、ストレーナＳの水平移動を停止させる部材として、基板10に棒体19,19,…を設置するとともにスライド板20に長孔（長径をスライド板20の進退方向にする）91,91,…を穿ち、前記棒体19,19,…をこの長孔91,91,…に遊嵌させることもできる。この場合、ストレーナＳはこれらの棒体19,19,…の内側に載置される。
【００３６】
また、前記掛止部材22の先端をＶ字状に尖らせれば、ストレーナＳが網体であっても、滑らかに分離することができるものである。
【００３７】
また、前記係止部材22の先端の横断面をＶ字状に尖らせれば、ストレーナＳを分離するときに、重なっている複数のストレーナＳ，Ｓ，…からの最下端のストレーナＳを分離しやすいものである。
【００３８】
【発明の効果】
この発明に係る鋳造用ストレーナ装着装置は、基台の棚板に沿ってスライド板を進退可能に設置し、このスライド板に支持手段を介してシューターを揺動可能に設置し、このシューターが前記棚板に載置された状態で水平方向に進退可能とするとともに前記棚板の端縁部から突出するにしたがって前記支持手段を介して前下がりの状態に揺動することにより、前記シューターに載置されたストレーナを滑らせながら下方に落下させ鋳造装置の湯口に設置するようにしたため、前記シューターが後退したときにこのシューターにストレーナが載置され、そのままシューターを前記棚板の端縁部から突出する方向に移動させればストレーナは滑りながら下方に落下し、鋳造装置の湯口部に設置されるものである。
【００３９】
よって、この鋳造用ストレーナ装着装置を使用すれば、鋳造装置の湯口部にストレーナを簡単且つ適正に装着することができるため、その管理に手間がかからず、その結果、鋳造作業の作業能率を向上させることができる。
【図面の簡単な説明】
【図１】  この発明に係る鋳造用ストレーナ装着装置の正面断面図である。
【図２】  同平面図である。
【図３】  図１におけるIII-III 線断面図である。
【図４】  図１におけるIV矢視拡大図である。
【図５】  係止部材がストレーナを誘導する状態を説明した断面図である。
【図６】  ストレーナセット装置の正面図である。
【図７】  同平面図である。
【図８】  同右側面図である。
【図９】  ストレーナストッパの他の実施例の斜視図である。
【符号の説明】
Ｍ  …  鋳造用ストレーナ装着装置
Ｓ  …  ストレーナ
12  …  棚板（基台）
20  …  スライド板
27  …  シューター
271 …  軸（支持手段）
28  …  凸条部（支持手段）
【図１】
0004341791.tif 000002
【図２】
0004341791.tif 000003
【図３】
0004341791.tif 000004
【図４】
0004341791.tif 000005
【図５】
0004341791.tif 000006
【図６】
0004341791.tif 000007
【図７】
0004341791.tif 000008
【図８】
0004341791.tif 000009
【図９】
0004341791.tif 000010